【手続補正書】
【提出日】平成23年2月18日(2011.2.18)
【手続補正１】
【補正対象書類名】明細書
【補正対象項目名】００８１
【補正方法】変更
【補正の内容】
【００８１】
実施例１５〜２０．ポリカーボネートサンプルの難燃性に及ぼす塩濃度の効果
難燃性に及ぼす塩濃度の効果を決定した。以下の表４に示した濃度で塩としてＢＭＩＭ−ＴＦＥＳまたはＴＦＥＳ−Ｋを用いて、実施例７〜１４に記載された通り、５０００ｐｐｍのｐ−ＴＦＥ微粉末と共にポリカーボネートサンプル（試験片）をコンパウンディングした。コンパウンディングしたポリカーボネートを実施例１に記載された通りバーに更に成形した。前述した通りＵＬ−９４に準拠して試験サンプルを試験した。結果を表４に示している。
【表４】
2010520361.tif 000001
【手続補正２】
【補正対象書類名】明細書
【補正対象項目名】００８２
【補正方法】変更
【補正の内容】
【００８２】
以上、本発明を要約すると下記のとおりである。
１．（Ａ）少なくとも１つの芳香族ポリカーボネート樹脂と、
（Ｂ）少なくとも１つの溶融滴下防止剤と、
（Ｃ）少なくとも１つの式Ｍ＋Ｑ−
［式中、Ｍ＋は、（１）リチウム、ナトリウム、カリウムおよびセシウムからなる群から選択されるカチオンまたは（２）以下の１１個のカチオン
【化８】
2010520361.tif 000002
【化９】
2010520361.tif 000003
（式中、Ｒ１、Ｒ２、Ｒ３、Ｒ４、Ｒ５およびＲ６は独立して、
（ａ）Ｈ、
（ｂ）ハロゲン、
（ｃ）−ＣＨ３、−Ｃ２Ｈ５、または場合によりＣｌ、Ｂｒ、Ｆ、Ｉ、ＯＨ、ＮＨ２およびＳＨからなる群から選択される少なくとも１つのメンバーで置換されるＣ３〜Ｃ２５の直鎖、分岐もしくは環式のアルカンもしくはアルケン、
（ｄ）−ＣＨ３、−Ｃ２Ｈ５、またはＯ、Ｎ、ＳｉおよびＳからなる群から選択される１〜３個のヘテロ原子を含み、場合によりＣｌ、Ｂｒ、Ｆ、Ｉ、ＯＨ、ＮＨ２およびＳＨからなる群から選択される少なくとも１つのメンバーで置換されるＣ３〜Ｃ２５の直鎖、分岐もしくは環式のアルカンもしくはアルケン、
（ｅ）Ｃ６〜Ｃ２５非置換アリールまたはＯ、Ｎ、ＳｉおよびＳからなる群から独立して選択される１〜３個のヘテロ原子を有するＣ６〜Ｃ２５非置換ヘテロアリール、
（ｆ）Ｃ６〜Ｃ２５置換アリールまたはＯ、Ｎ、ＳｉおよびＳからなる群から独立して選択される１〜３個のヘテロ原子を有するＣ６〜Ｃ２５置換ヘテロアリールであって、該置換アリールまたは置換ヘテロアリールが、
（１）−ＣＨ３、−Ｃ２Ｈ５、または場合によりＣｌ、Ｂｒ、Ｆ、Ｉ、ＯＨ、ＮＨ２およびＳＨからなる群から選択される少なくとも１つのメンバーで置換されるＣ３〜Ｃ２５の直鎖、分岐もしくは環式のアルカンもしくはアルケン、
（２）ＯＨ、
（３）ＮＨ２、および
（４）ＳＨ
からなる群から独立して選択される１〜３個の置換基を有するＣ６〜Ｃ２５置換アリールまたはＣ６〜Ｃ２５置換ヘテロアリール
からなる群から選択され、
Ｒ７、Ｒ８、Ｒ９およびＲ１０は独立して、
（ｇ）−ＣＨ３、−Ｃ２Ｈ５、または場合によりＣｌ、Ｂｒ、Ｆ、Ｉ、ＯＨ、ＮＨ２およびＳＨからなる群から選択される少なくとも１つのメンバーで置換されるＣ３〜Ｃ２５の好ましくは直鎖、分岐もしくは環式のアルカンもしくはアルケン、
（ｈ）−ＣＨ３、−Ｃ２Ｈ５、またはＯ、Ｎ、ＳｉおよびＳからなる群から選択される１〜３個のヘテロ原子を含み、場合によりＣｌ、Ｂｒ、Ｆ、Ｉ、ＯＨ、ＮＨ２およびＳＨからなる群から選択される少なくとも１つのメンバーで置換されるＣ３〜Ｃ２５の直鎖、分岐もしくは環式のアルカンもしくはアルケン、
（ｉ）Ｃ６〜Ｃ２５非置換アリールまたはＯ、Ｎ、ＳｉおよびＳからなる群から独立して選択される１〜３個のヘテロ原子を有するＣ６〜Ｃ２５非置換ヘテロアリール、
（ｊ）Ｃ６〜Ｃ２５置換アリールまたはＯ、Ｎ、ＳｉおよびＳからなる群から独立して選択される１〜３個のヘテロ原子を有するＣ６〜Ｃ２５置換ヘテロアリールであって、該置換アリールまたは置換ヘテロアリールが、
（１）−ＣＨ３、−Ｃ２Ｈ５、または場合によりＣｌ、Ｂｒ、Ｆ、Ｉ、ＯＨ、ＮＨ２およびＳＨからなる群から選択される少なくとも１つのメンバーで置換されるＣ３〜Ｃ２５の直鎖、分岐もしくは環式のアルカンもしくはアルケン、
（２）ＯＨ、
（３）ＮＨ２、および
（４）ＳＨ
からなる群から独立して選択される１〜３個の置換基を有するＣ６〜Ｃ２５置換アリールまたはＣ６〜Ｃ２５置換ヘテロアリール
からなる群から選択され、
場合により、Ｒ１、Ｒ２、Ｒ３、Ｒ４、Ｒ５、Ｒ６、Ｒ７、Ｒ８、Ｒ９およびＲ１０の少なくとも２つが一緒になって、環式または二環式のアルカニル基またはアルケニル基を形成していてよい）
からなる群から選択されるカチオンであり、
Ｑ−は、式Ｉ
【化１０】
2010520361.tif 000004
（式中、Ｒ１１は、
（１）ハロゲン、
（２）−ＣＨ３、−Ｃ２Ｈ５、または場合によりＣｌ、Ｂｒ、Ｉ、ＯＨ、ＮＨ２およびＳ
Ｈからなる群から選択される少なくとも１つのメンバーで置換されるＣ３〜Ｃ１５の直鎖もしくは分岐のアルカンもしくはアルケン、
（３）−ＯＣＨ３、−ＯＣ２Ｈ５、または場合によりＣｌ、Ｂｒ、Ｉ、ＯＨ、ＮＨ２およびＳＨからなる群から選択される少なくとも１つのメンバーで置換されるＣ３〜Ｃ１５の直鎖もしくは分岐のアルコキシ、
（４）場合によりＣｌ、Ｂｒ、Ｉ、ＯＨ、ＮＨ２およびＳＨからなる群から選択される少なくとも１つのメンバーで置換されるＣ１〜Ｃ１５の直鎖または分岐のフルオロアルキル、
（５）場合によりＣｌ、Ｂｒ、Ｉ、ＯＨ、ＮＨ２およびＳＨからなる群から選択される少なくとも１つのメンバーで置換されるＣ１〜Ｃ１５の直鎖または分岐のフルオロアルコキシ、
（６）Ｃ１〜Ｃ１５の好ましくは直鎖または分岐のパーフルオロアルキル、および
（７）Ｃ１〜Ｃ１５の直鎖または分岐のパーフルオロアルコキシ
からなる群から選択される）
および式ＩＩ
【化１１】
2010520361.tif 000005
（式中、Ｒ１２は、
（１）ハロゲン、
（２）−ＣＨ３、−Ｃ２Ｈ５、または場合によりＣｌ、Ｂｒ、Ｉ、ＯＨ、ＮＨ２およびＳＨからなる群から選択される少なくとも１つのメンバーで置換されるＣ３〜Ｃ１５の直鎖もしくは分岐のアルカンもしくはアルケン、
（３）−ＯＣＨ３、−ＯＣ２Ｈ５、または場合によりＣｌ、Ｂｒ、Ｉ、ＯＨ、ＮＨ２およびＳＨからなる群から選択される少なくとも１つのメンバーで置換されるＣ３〜Ｃ１５の直鎖もしくは分岐のアルコキシ、
（４）場合によりＣｌ、Ｂｒ、Ｉ、ＯＨ、ＮＨ２およびＳＨからなる群から選択される少なくとも１つのメンバーで置換されるＣ１〜Ｃ１５の直鎖または分岐のフルオロアルキル、
（５）場合によりＣｌ、Ｂｒ、Ｉ、ＯＨ、ＮＨ２およびＳＨからなる群から選択される少なくとも１つのメンバーで置換されるＣ１〜Ｃ１５の直鎖または分岐のフルオロアルコキシ、
（６）Ｃ１〜Ｃ１５の直鎖または分岐のパーフルオロアルキル、および
（７）Ｃ１〜Ｃ１５の直鎖または分岐のパーフルオロアルコキシ
からなる群から選択される）
からなる群から選択されるアニオンである］
を有する塩と
を含む難燃性ポリカーボネート樹脂組成物。
２．成分（Ａ）を約１００部、成分（Ｂ）を約０．０１〜約５．０部および成分（Ｃ）を約０．００１〜約２．０部有する上記１に記載の組成物。
３．成分（Ａ）を約１００部および成分（Ｂ）を約０．１〜約３．０部有する上記２に記
載の組成物。
４．成分（Ａ）を約１００部および成分（Ｃ）を約０．０１〜約１．０部有する上記２に記載の組成物。
５．少なくとも１つの芳香族ポリカーボネート樹脂がジフェニルカーボネートと２，２−ビス（４−ヒドロキシフェニル）プロパンの反応から製造される上記１に記載の組成物。６．溶融滴下防止剤がポリテトラフルオロエチレンである上記１に記載の組成物。
７．Ｑ−が、１，１，２，２−テトラフルオロエタンスルホネート、２−クロロ−１，１，２−トリフルオロエタンスルホネート、１，１，２，３，３，３−ヘキサフルオロプロパンスルホネート、１，１，２−トリフルオロ−２−（トリフルオロメトキシ）エタンスルホネート、１，１，２−トリフルオロ−２−（ペルフルオロエトキシ）エタンスルホネート、２−（１，２，２，２−テトラフルオロエトキシ）−１，１，２，２−テトラフルオロエタンスルホネート、２−（１，１，２，２−テトラフルオロエトキシ）−１，１，２，２−テトラフルオロエタンスルホネート、２−（１，１，２，２−テトラフルオロ−２−ヨードエトキシ）−１，１，２，２−テトラフルオロエタンスルホネート、１，１，２，２−テトラフルオロ−２−（ペンタフルオロエトキシ）エタンスルホネート、Ｎ，Ｎ−ビス（１，１，２，２−テトラフルオロエタンスルホニル）イミドおよびＮ，Ｎ−ビス（１，１，２，３，３，３−ヘキサフルオロプロパンスルホニル）イミドからなる群から選択される上記１に記載の組成物。
８．成分（Ｃ）が、１−ブチル−２，３−ジメチルイミダゾリウム１，１，２，２−テトラフルオロエタンスルホネート、１−ブチル−メチルイミダゾリウム１，１，２，２−テトラフルオロエタンスルホネート、１−エチル−３−メチルイミダゾリウム１，１，２，２−テトラフルオロエタンスルホネート、１−エチル−３−メチルイミダゾリウム１，１，２，３，３，３−ヘキサフルオロプロパンスルホネート、１−ヘキシル−３−メチルイミダゾリウム１，１，２，２−テトラフルオロエタンスルホネート、１−ドデシル−３−メチルイミダゾリウム１，１，２，２−テトラフルオロエタンスルホネート、１−ヘキサデシル−３−メチルイミダゾリウム１，１，２，２−テトラフルオロエタンスルホネート、１−オクタデシル−３−メチルイミダゾリウム１，１，２，２−テトラフルオロエタンスルホネート、Ｎ−（１，１，２，２−テトラフルオロエチル）プロピルイミダゾール１，１，２，２−テトラフルオロエタンスルホネート、Ｎ−（１，１，２，２−テトラフルオロエチル）エチルペルフルオロヘキシルイミダゾール１，１，２，２−テトラフルオロエタンスルホネート、１−ブチル−３−メチルイミダゾリウム１，１，２，３，３，３−ヘキサフルオロプロパンスルホネート、１−ブチル−３−メチルイミダゾリウム１，１，２−トリフルオロ−２−（トリフルオロメトキシ）エタンスルホネート、１−ブチル−３−メチルイミダゾリウム１，１，２−トリフルオロ−２−（ペルフルオロエトキシ）エタンスルホネート、テトラデシル（トリ−ｎ−ヘキシル）ホスホニウム１，１，２−トリフルオロ−２−（ペルフルオロエトキシ）エタンスルホネート、テトラデシル（トリ−ｎ−ブチル）ホスホニウム１，１，２，３，３，３−ヘキサフルオロプロパンスルホネート、テトラデシル（トリ−ｎ−ヘキシル）ホスホニウム１，１，２−トリフルオロ−２−（トリフルオロメトキシ）エタンスルホネート、１−エチル−３−メチルイミダゾリウム１，１，２，２−テトラフルオロ−２−（ペンタフルオロエトキシ）スルホネート、（３，３，４，４，５，５，６，６，７，７，８，８，８−トリデカフルオロオクチル）−トリオクチルホスホニウム１，１，２，２−テトラフルオロエタンスルホネート、１−メチル−３−（３，３，４，４，５，５，６，６，７，７，８，８，８−トリデカフルオロオクチル）イミダゾリウム１，１，２，２−テトラフルオロエタンスルホネート、テトラ−ｎ−ブチルホスホニウム１，１，２−トリフルオロ−２−（ペルフルオロエトキシ）エタンスルホネート、１，１，２，２−テトラフルオロエタンスルホン酸カリウム、１，１，２，３，３，３−ヘキサフルオロプロパンスルホン酸カリウムおよび１，１，２−トリフルオロ−２−（ペルフルオロエトキシ）エタンスルホン酸カリウムからなる群から選択される上記１に記載の組成物。
９．少なくとも１つの溶融滴下防止剤と上記１記載の少なくとも１つの塩とを含む組成物
。
１０．ポリテトラフルオロエチレン微粉末を含む上記１または９に記載の組成物。
１１．ポリテトラフルオロエチレン分散液を含む上記１または９に記載の組成物。
１２．１，１，２，２−テトラフルオロエタンスルホネートまたは１，１，２，３，３，３−ヘキサフルオロプロパンスルホネートのリチウム塩、ナトリウム塩、カリウム塩またはセシウム塩を含む上記１、９、１０または１１に記載の組成物。
１３．１，１，２，２−テトラフルオロエタンスルホン酸カリウムまたは１，１，２，３，３，３−ヘキサフルオロプロパンスルホン酸カリウムを含む上記１２に記載の組成物。１４．（１）酸化防止剤、紫外線吸収剤、光安定剤、内部潤滑剤および難燃剤または難燃助剤、離型剤、帯電防止剤、着色剤およびそれらの組み合わせからなる群から選択される少なくとも１つの添加剤、（２）少なくとも１つの充填剤（３）およびそれらの組み合わせからなる群から選択される少なくとも１つの成分を更に含む上記１に記載の組成物。
１５．酸化防止剤がヒンダードフェノール、亜リン酸のエステル、リン酸のエステルまたはアミンであり、紫外線吸収剤がベンゾトリアゾールまたはベンゾフェノンを含み、光安定剤がヒンダードアミンを含み、内部潤滑剤が脂肪族カルボン酸エステル、パラフィン、シリコーン油またはポリエチレンワックスを含み、離型剤がペンタエリトリトールまたはグリセリンを含み、充填剤が、チタン酸カリウムウィスカー、鉱物繊維、ガラス繊維、炭素繊維、金属繊維、ホウ酸アルミニウムウィスカー、窒化ケイ素ウィスカー、ホウ素繊維、テトラポッド状の酸化亜鉛ウィスカー、タルク、クレー、マイカ、真珠マイカ、アルミニウム箔、アルミナ、ガラスフレーク、ガラスビーズ、ガラスバルーン、カーボンブラック、グラファイト、炭酸カルシウム、硫酸カルシウム、ケイ酸カルシウム、二酸化チタン、硫化亜鉛、酸化亜鉛、シリカ、アスベストおよび石英粉末からなる群から選択される上記１４に記載の組成物。
１６．充填剤が約１質量部〜約７０質量部で存在する上記１４に記載の組成物。
１７．成分（Ｂ）がポリテトラフルオロエチレンを含み、成分（Ｃ）が１，１，２，２−テトラフルオロエタンスルホネートまたは１，１，２，３，３，３−ヘキサフルオロプロパンスルホネートのナトリウム塩またはカリウム塩を含む上記１に記載の組成物。
１８．成分（Ａ）がジフェニルカーボネートと２，２−ビス（４−ヒドロキシフェニル）プロパンの反応から製造され、成分（Ｂ）がポリテトラフルオロエチレンを含み、成分（Ｃ）が１，１，２，２−テトラフルオロエタンスルホネートまたは１，１，２，３，３，３−ヘキサフルオロプロパンスルホネートのナトリウム塩またはカリウム塩を含む上記１に記載の組成物。
１９．難燃性ポリカーボネート物品を調製する方法であって、
（ａ）上記１、１３または１４で定義されるようなポリカーボネート樹脂組成物の成分を混合して、混合組成物を形成する工程と、
（ｂ）混合組成物を粒子に成形する工程と、
（ｃ）工程（ｂ）の粒子を難燃性ポリカーボネート物品に溶融成形する工程と
を含む方法。
２０．バンバリーミキサー、一軸スクリュー押出機、二軸スクリュー押出機、または多軸スクリュー押出機を用いて混合を行う上記１９に記載の方法。
２１．溶融成形が、射出成形、ブロー成形、押出成形、圧縮成形、カレンダー成形または回転成形を用いて行われる上記１９に記載の方法。
２２．グレージングまたはシート、自動車部品、家庭用電気製品、包装、電気部品、電子部品、工業部品、医療またはヘルスケア関連物品、およびレジャーまたは安全用品、からなる群から選択される、上記１に記載の難燃性ポリカーボネート樹脂組成物を含む難燃性ポリカーボネート物品。
２３．航空機、列車、学校、高速航空機のキャノピー用の窓、自動車ヘッドランプアセンブリ、自動車インテリアインストルメントパネル、自動車バンパー、自動車窓グレージング、家庭用品、家庭用電動工具、詰め替え可能な水ボトル、詰め替え可能なミルクボトル、電気コネクター、電話ネットワークデバイス、アウトレットボックス、コンピュータハ
ウジング、事務機ハウジング、インストルメントパネル、メンブレンスイッチ、絶縁体、保護ゴーグル、安全眼鏡、安全サイドシールド、眼鏡、マスク、スポーツヘルメット、オートバイヘルメット、および消防士または建設労働者用の安全ヘルメットの部品からなる群から選択される上記２２に記載の難燃性ポリカーボネート物品。
【手続補正３】
【補正対象書類名】特許請求の範囲
【補正対象項目名】全文
【補正方法】変更
【補正の内容】
【特許請求の範囲】
【請求項１】
（Ａ）少なくとも１つの芳香族ポリカーボネート樹脂と、
（Ｂ）少なくとも１つの溶融滴下防止剤と、
（Ｃ）少なくとも１つの式Ｍ＋Ｑ−
［式中、Ｍ＋は、（１）リチウム、ナトリウム、カリウムおよびセシウムからなる群から選択されるカチオンまたは（２）以下の１１個のカチオン
【化１】
2010520361.tif 000006
【化２】
2010520361.tif 000007
（式中、Ｒ１、Ｒ２、Ｒ３、Ｒ４、Ｒ５およびＲ６は独立して、
（ａ）Ｈ、
（ｂ）ハロゲン、
（ｃ）−ＣＨ３、−Ｃ２Ｈ５、または場合によりＣｌ、Ｂｒ、Ｆ、Ｉ、ＯＨ、ＮＨ２およびＳＨからなる群から選択される少なくとも１つのメンバーで置換されるＣ３〜Ｃ２５の直鎖、分岐もしくは環式のアルカンもしくはアルケン、
（ｄ）−ＣＨ３、−Ｃ２Ｈ５、またはＯ、Ｎ、ＳｉおよびＳからなる群から選択される１〜３個のヘテロ原子を含み、場合によりＣｌ、Ｂｒ、Ｆ、Ｉ、ＯＨ、ＮＨ２およびＳＨからなる群から選択される少なくとも１つのメンバーで置換されるＣ３〜Ｃ２５の直鎖、分岐もしくは環式のアルカンもしくはアルケン、
（ｅ）Ｃ６〜Ｃ２５非置換アリールまたはＯ、Ｎ、ＳｉおよびＳからなる群から独立して選択される１〜３個のヘテロ原子を有するＣ６〜Ｃ２５非置換ヘテロアリール、
（ｆ）Ｃ６〜Ｃ２５置換アリールまたはＯ、Ｎ、ＳｉおよびＳからなる群から独立して選択される１〜３個のヘテロ原子を有するＣ６〜Ｃ２５置換ヘテロアリールであって、該置換アリールまたは置換ヘテロアリールが、
（１）−ＣＨ３、−Ｃ２Ｈ５、または場合によりＣｌ、Ｂｒ、Ｆ、Ｉ、ＯＨ、ＮＨ２およびＳＨからなる群から選択される少なくとも１つのメンバーで置換されるＣ３〜Ｃ２５の直鎖、分岐もしくは環式のアルカンもしくはアルケン、
（２）ＯＨ、
（３）ＮＨ２、および
（４）ＳＨ
からなる群から独立して選択される１〜３個の置換基を有するＣ６〜Ｃ２５置換アリールまたはＣ６〜Ｃ２５置換ヘテロアリール
からなる群から選択され、
Ｒ７、Ｒ８、Ｒ９およびＲ１０は独立して、
（ｇ）−ＣＨ３、−Ｃ２Ｈ５、または場合によりＣｌ、Ｂｒ、Ｆ、Ｉ、ＯＨ、ＮＨ２およびＳＨからなる群から選択される少なくとも１つのメンバーで置換されるＣ３〜Ｃ２５の好ましくは直鎖、分岐もしくは環式のアルカンもしくはアルケン、
（ｈ）−ＣＨ３、−Ｃ２Ｈ５、またはＯ、Ｎ、ＳｉおよびＳからなる群から選択される１〜３個のヘテロ原子を含み、場合によりＣｌ、Ｂｒ、Ｆ、Ｉ、ＯＨ、ＮＨ２およびＳＨからなる群から選択される少なくとも１つのメンバーで置換されるＣ３〜Ｃ２５の直鎖、分岐もしくは環式のアルカンもしくはアルケン、
（ｉ）Ｃ６〜Ｃ２５非置換アリールまたはＯ、Ｎ、ＳｉおよびＳからなる群から独立して選択される１〜３個のヘテロ原子を有するＣ６〜Ｃ２５非置換ヘテロアリール、
（ｊ）Ｃ６〜Ｃ２５置換アリールまたはＯ、Ｎ、ＳｉおよびＳからなる群から独立して選択される１〜３個のヘテロ原子を有するＣ６〜Ｃ２５置換ヘテロアリールであって、該置換アリールまたは置換ヘテロアリールが、
（１）−ＣＨ３、−Ｃ２Ｈ５、または場合によりＣｌ、Ｂｒ、Ｆ、Ｉ、ＯＨ、ＮＨ２およびＳＨからなる群から選択される少なくとも１つのメンバーで置換されるＣ３〜Ｃ２５の直鎖、分岐もしくは環式のアルカンもしくはアルケン、
（２）ＯＨ、
（３）ＮＨ２、および
（４）ＳＨ
からなる群から独立して選択される１〜３個の置換基を有するＣ６〜Ｃ２５置換アリールまたはＣ６〜Ｃ２５置換ヘテロアリール
からなる群から選択され、
場合により、Ｒ１、Ｒ２、Ｒ３、Ｒ４、Ｒ５、Ｒ６、Ｒ７、Ｒ８、Ｒ９およびＲ１０の少なくとも２つが一緒になって、環式または二環式のアルカニル基またはアルケニル基を形成していてよい）
からなる群から選択されるカチオンであり、
Ｑ−は、式Ｉ
【化３】
2010520361.tif 000008
（式中、Ｒ１１は、
（１）ハロゲン、
（２）−ＣＨ３、−Ｃ２Ｈ５、または場合によりＣｌ、Ｂｒ、Ｉ、ＯＨ、ＮＨ２およびＳ
Ｈからなる群から選択される少なくとも１つのメンバーで置換されるＣ３〜Ｃ１５の直鎖もしくは分岐のアルカンもしくはアルケン、
（３）−ＯＣＨ３、−ＯＣ２Ｈ５、または場合によりＣｌ、Ｂｒ、Ｉ、ＯＨ、ＮＨ２およびＳＨからなる群から選択される少なくとも１つのメンバーで置換されるＣ３〜Ｃ１５の直鎖もしくは分岐のアルコキシ、
（４）場合によりＣｌ、Ｂｒ、Ｉ、ＯＨ、ＮＨ２およびＳＨからなる群から選択される少なくとも１つのメンバーで置換されるＣ１〜Ｃ１５の直鎖または分岐のフルオロアルキル、
（５）場合によりＣｌ、Ｂｒ、Ｉ、ＯＨ、ＮＨ２およびＳＨからなる群から選択される少なくとも１つのメンバーで置換されるＣ１〜Ｃ１５の直鎖または分岐のフルオロアルコキシ、
（６）Ｃ１〜Ｃ１５の好ましくは直鎖または分岐のパーフルオロアルキル、および
（７）Ｃ１〜Ｃ１５の直鎖または分岐のパーフルオロアルコキシ
からなる群から選択される）
および式II
【化４】
2010520361.tif 000009
（式中、Ｒ１２は、
（１）ハロゲン、
（２）−ＣＨ３、−Ｃ２Ｈ５、または場合によりＣｌ、Ｂｒ、Ｉ、ＯＨ、ＮＨ２およびＳＨからなる群から選択される少なくとも１つのメンバーで置換されるＣ３〜Ｃ１５の直鎖もしくは分岐のアルカンもしくはアルケン、
（３）−ＯＣＨ３、−ＯＣ２Ｈ５、または場合によりＣｌ、Ｂｒ、Ｉ、ＯＨ、ＮＨ２およびＳＨからなる群から選択される少なくとも１つのメンバーで置換されるＣ３〜Ｃ１５の直鎖もしくは分岐のアルコキシ、
（４）場合によりＣｌ、Ｂｒ、Ｉ、ＯＨ、ＮＨ２およびＳＨからなる群から選択される少なくとも１つのメンバーで置換されるＣ１〜Ｃ１５の直鎖または分岐のフルオロアルキル、
（５）場合によりＣｌ、Ｂｒ、Ｉ、ＯＨ、ＮＨ２およびＳＨからなる群から選択される少なくとも１つのメンバーで置換されるＣ１〜Ｃ１５の直鎖または分岐のフルオロアルコキシ、
（６）Ｃ１〜Ｃ１５の直鎖または分岐のパーフルオロアルキル、および
（７）Ｃ１〜Ｃ１５の直鎖または分岐のパーフルオロアルコキシ
からなる群から選択される）
からなる群から選択されるアニオンである］
を有する塩と
を含む難燃性ポリカーボネート樹脂組成物。
【請求項２】
少なくとも１つの溶融滴下防止剤と請求項１記載の少なくとも１つの塩とを含む組成物。
【請求項３】
難燃性ポリカーボネート物品を調製する方法であって、
（ａ）請求項１で定義されるようなポリカーボネート樹脂組成物の成分を混合して、混合組成物を形成する工程と、
（ｂ）混合組成物を粒子に成形する工程と、
（ｃ）工程（ｂ）の粒子を難燃性ポリカーボネート物品に溶融成形する工程と
を含む方法。
【請求項４】
グレージングまたはシート、自動車部品、家庭用電気製品、包装、電気部品、電子部品、工業部品、医療またはヘルスケア関連物品、およびレジャーまたは安全用品、からなる群から選択される、請求項１に記載の難燃性ポリカーボネート樹脂組成物を含む難燃性ポリカーボネート物品。